(57)【要約】      （修正有）【課題】ダイロールに装着した打ち抜き刃物によってダンボールシートに手掛孔を打抜き加工する際に、打抜き屑がダンボールシート上に残存させることなく外部に排除することができる打抜き屑除去装置を提供する。【解決手段】ダイロール１０に設けているガイド溝１１に沿って打ち抜き刃物１を有する刃物台２を移動自在に配設すると共に上記刃物内に押し出し部材３を出没自在に配設してこの押し出し部材を上記ガイド溝内に設けているレバー５によって押し上げ可能とし、さらに、ダイロールの下周部側にレバーの基端部を摺接させるカム面６ａを有する係合部材６を配設して、上記刃物によりダンボールシートに手掛孔を打ち抜いたのち、ダイロールの回転によって上記係合部材に達したレバーをカム面を通過中に該カム面により回動させて押し出し部材を押し上げ、刃物内の打抜き屑を押し出し落下させるように構成している。【選択図】図１
2005169597.tif 000002
【特許請求の範囲】
【請求項１】
ダンボールシートに手掛孔を打ち抜くための打ち抜き刃物を装着しているロールにおいて、上記打ち抜き刃物内に押し出し部材を出没自在に配設し、打ち抜き刃物によってダンボールシートに手掛孔を打ち抜いたのち、ロールの回転によって打ち抜き刃物の開口端が水平方向から下向き方向に向いた時に上記押し出し部材を作動させて打ち抜き刃物の開口端部内の打抜き屑を外部に押し出するように構成したことを特徴とするダンボールシートの打抜き屑除去装置。
【請求項２】
押し出し部材の作動機構は、打ち抜き刃物の刃物台近傍部におけるロールの外周部に設けた溝内に回動自在に枢着されてその先端部を押し出し部材の底面に当接させているレバーと、ロールの回転途上に設けられて上記レバーの基端部をその内面に摺接させながら押し下げて該レバーの先端部により上記押し出し部材を押し上げる係合部材とからなることを特徴とする請求項１に記載のダンボールシートの打抜き屑除去装置。
【請求項３】
ロールは、外周面に一定幅を有するガイド溝を全長に亘って設けていると共にこのガイド溝に沿って刃物台を装着した円環状ホルダを移動自在に被嵌させているダイロールであって、刃物台の底面が臨んでいる上記ガイド溝部に押し出し部材を押し上げるレバーを回動自在に配設したレバー配置台を嵌合させている一方、上記円環状ホルダの下周部側における両側端面に係合して該円環状ホルダをロールの長さ方向の所定位置に移動させる移動部材に係合部材を突設していることを特徴とする請求項１又は請求項２に記載のダンボールシートの打抜き屑除去装置。
【発明の詳細な説明】
【技術分野】
【０００１】
本発明はダンボールシートの加工機において、手掛孔打抜き用ロールの外周面に装着している打ち抜き刃物によって打抜かれた打抜き屑を該打ち抜き刃物から除去する装置に関するものである。
【背景技術】
【０００２】
ダンボールシートに罫線加工やフラップ形成用のスリット、手掛孔などを設けるための加工機において、上記手掛孔を打ち抜くには、例えば、図６に示すように外周面に一定幅を有するガイド溝31を全長に亘って設けていると共にこのガイド溝31に沿って刃物台32を装着した円環状ホルダ33を移動自在に被嵌させているダイロール30によって行われている。即ち、このダイロール30の上側にアンビルロール（図示せず）を配設し、これらのロール間にダンボールシートを送り込むことによって上記刃物台32に装着している打ち抜き刃物34によりダンボールシートの所定個所に手掛孔を打ち抜いている。
【０００３】
この時、打抜き屑を除去する必要があり、そのため、上記打ち抜き刃物34内に厚いクッション性の良好なスポンジ等からなる弾性部材（図示せず）を装填しておき、ダイロール30の上側を通過するダンボールシートに打ち抜き刃物34を押し付けて手掛孔を打ち抜いた際に上記弾性部材を圧縮させながら打抜き屑を打ち抜き刃物34の開口端部内に受け入れたのち、上下ロール間から離間する際に弾性部材の復元力により打抜き屑を打ち抜き刃物34の開口端内からダンボールシートの上面側に押し出している（例えば、特許文献１参照）。
【０００４】
【特許文献１】特許第２９０２０６５明細書（第２〜４頁、第２図）。
【発明の開示】
【発明が解決しようとする課題】
【０００５】
しかしながら、上記のような弾性部材による打抜き屑の押し出し手段では、ダイロール30の外周面に装着した打ち抜き刃物34がダイロール30の回転によって上向き状態になった時にダンボールシートの所定部分に手掛孔を打ち抜いたのち、該ダイロール30が僅かに回動して打ち抜き刃物34が手掛孔から離れる直前に打抜き屑が弾性部材によって上方に、即ち、ダンボールシートの上面側に押し出されることになる。従って、打抜き屑がダンボールシート上に残置されて、製凾機でダンボールケースを加工工程中に該ダンボールケース内に残存した状態となることがあり、このままユーザにダンボールケースを納品した場合には、包装時にこのダンボールケース内に商品と共に打抜き屑が収納される事態が発生するといった問題点があった。
【０００６】
本発明は上記のような問題点に鑑みてなされたもので、その目的とするところは、ダンボールシートに手掛孔を打抜いた際に、ダンボールシート上に打抜き屑が残存することなく、ダンボールシートから外部に排除可能にしたダンボールシートの打抜き屑除去装置を提供するにある。
【課題を解決するための手段】
【０００７】
上記目的を達成するために、本発明のダンボールシートの打抜き屑除去装置は、請求項１に記載したように、ダンボールシートに手掛孔を打ち抜くための打ち抜き刃物を装着しているロールにおいて、上記打ち抜き刃物内に押し出し部材を出没自在に配設し、打ち抜き刃物によってダンボールシートに手掛孔を打ち抜いたのち、ロールの回転によって打ち抜き刃物の開口端が水平方向から下向き方向に向いた時に上記押し出し部材を作動させて打ち抜き刃物の開口端部内の打抜き屑を外部に押し出すように構成している。
【０００８】
このように構成したダンボールシートの打抜き屑除去装置において、請求項２に係る発明は、上記押し出し部材の作動機構であって、打ち抜き刃物の刃物台近傍部におけるロールの外周部に設けた溝内に回動自在に枢着されてその先端部を押し出し部材の底面に当接させているレバーと、ロールの回転途上に設けられて上記レバーの基端部をその内面に摺接させながら押し下げて該レバーの先端部により上記押し出し部材を押し上げる係合部材とからなることを特徴とする。
【０００９】
さらに、上記請求項１又は請求項２に記載のダンボールシートの打抜き屑除去装置において、請求項３に係る発明は、上記ロールは、外周面に一定幅を有するガイド溝を全長に亘って設けていると共にこのガイド溝に沿って刃物台を装着した円環状ホルダを移動自在に被嵌させているダイロールであって、刃物台の底面が臨んでいる上記ガイド溝部に押し出し部材を押し上げるレバーを回動自在に配設したレバー配置台を嵌合させている一方、上記円環状ホルダの下周部側における両側端面に係合して該円環状ホルダをロールの長さ方向の所定位置に移動させる移動部材に係合部材を突設していることを特徴とする。
【発明の効果】
【００１０】
ロールに装着している手掛孔打ち抜き刃物内に打抜き屑押し出し部材を出没自在に配設しているので、ダンボールシートの所定部分に打ち抜き刃物によって手掛孔を打ち抜いた際の打抜き屑を該押し出し部材によって打ち抜き刃物の開口端部内から確実に押し出して除去することができるのは勿論、押し出し部材は、ロールの回転によって打ち抜き刃物の開口端が水平方向から下向き状態になった時に作動するように構成しているので、打抜き屑をダンボールシート上や打ち抜き刃物側に残存することなく、打ち抜き刃物の開口端から下方に脱落させることができる。
【００１１】
また、請求項２に係る発明によれば、上記押し出し部材の作動機構は、打ち抜き刃物の刃物台近傍部におけるロールの外周部に設けた溝内に回動自在に枢着されてその先端部を押し出し部材の底面に当接させているレバーと、ロールの回転途上に設けられて上記レバーの基端部をその内面に摺接させながら押し下げて該レバーの先端部により上記押し出し部材を押し上げる係合部材とからなるので、レバーはロールの外周部に設けている溝内に配設されているから、ダンボールシートに対する手掛孔の打ち抜き加工に何等の邪魔になることなく、円滑な打ち抜き加工を可能にすることができると共に、係合部材をロールの回転によるレバーの基端部の移動軌跡上における該ロール下周部側に配設しておくことによって、打ち抜き加工後、打ち抜き刃物の開口端が下向きになった時に、レバーを作動させて打ち抜き刃物内に配設している押し出し部材を押し上げ、打ち抜き刃物から打抜き屑を下方に確実に落下させて除去することができる。
【００１２】
さらに、請求項３に係る発明によれば、ロールの外周面に全長に亘って設けているガイド溝に沿って該ロールの長さ方向に移動自在に被嵌している円環状ホルダに打ち抜き刃物を突設している刃物台を装着しているので、ダンボールシートの長さ寸法の大小に応じて円環状ホルダをロールの長さ方向に移動させて手掛孔を形成すべき位置に打ち抜き刃物を簡単且つ正確に配設することができるのは勿論、ロールとしてガイド溝を設けているダイロールをそのまま使用して該ガイド溝内にレバー取付台を嵌合させる一方、このダイロールの長さ方向に上記円環状ホルダを移動させる移動部材を利用してこの移動部材に、上記レバーの基端部を押し下げる係合部材を突設することにより、ダンボールシートの打抜き屑除去装置を簡単に構成することができる。
【００１３】
その上、打ち抜くべき手掛孔の形状が小判形、丸形、角形等、その形状が変わっても、所望形状の打ち抜き刃物を取付けた刃物台を円環状ホルダに装着するだけでレバー取付台や係合部材を取り替えることなくそのまま使用してダンボールシートの所定部分に所定形状の手掛孔を正確に打ち抜くことができる。
【００１４】
また、移動部材によって円環状ホルダをダイロールの長さ方向に沿って打抜加工すべき位置まで移動させると、この円環状ホルダに装着している刃物台と共に移動部材に突設している係合部材が常に一体的に同一方向に同一距離だけ移動するので位置合わせをする必要はなく、ガイド溝に沿ってレバー取付台を円環状ホルダの移動量に応じて同一方向に移動調整するだけで、ダンボールシートの所定部分に対する手掛孔の打抜作業が能率よく行うことができる。この場合、刃物台をレバー取付台に連結しておけば、円環状ホルダの移動によって該レバー取付台を刃物台及び係合部材と共に同一方向に同一量だけ移動させることができ、ダンボールシートの所定部分に対する所望形状の手掛孔打抜作業の準備が常に円滑に且つ正確に行うことができる。
【発明を実施するための最良の形態】
【００１５】
次に、本発明を実施するための最良の形態について説明すると、図１は、ダンボールシートＡ（図４に示す）に手掛孔Ｂを打ち抜くための打ち抜き刃物１を装着しているダイロール10の簡略斜視図であって、ダイロール10は周知のように、外周部に一定幅と一定深さを有する直状のガイド溝11を全長に亘って設けていると共に長さ方向の両側部に円環状ホルダ12、12（図においてはダイロール10の一側部のみを示す）をガイド溝11に沿ってダイロール10の長さ方向に摺動自在に被嵌させてあり、これらの円環状ホルダ12、12の一部に内外周面間に亘って貫通した矩形状の刃物台装着孔13、13を設けてこの装着孔13に上記打ち抜き刃物１を取付けている刃物台２を取り替え可能に装着している。
【００１６】
この刃物台２はダイロール10の長さ方向の横幅が上記装着孔13の横幅に略等しい横長長方形状に形成されていて、装着孔13にダイロール10の周方向に移動自在に且つ装着孔13から取り外し可能に嵌め込み、その一端面を装着孔13の一端部内に取付けている位置決め部材14a の対向端面に当接、受止させていると共に他端面に装着孔13の他端部内でスプリング15によって押圧されている可動部材14b の一端面を押し付けてこの可動部材14b と上記位置決め部材14a とによって刃物台２を上記ガイド溝11上において挟着固定している。また、可動部材14b をスプリング15の力に抗して刃物台２から離間させることにより、刃物台２を装着孔13から取り外して別な刃物台と交換可能に構成している。なお、刃物台２の四隅部には後述するレバー配置台９に該刃物台２をビス19によって固定させるためのビス挿通孔18が設けられている。
【００１７】
打ち抜き刃物１は図２に示すように、刃物台２の中央部に該刃物台２を貫通した状態で且つ先端の刃部1aを円環状ホルダ12の外周面からダンボールシートＡに手掛孔Ｂを打ち抜くことができる高さだけ突出させた状態で挿着、固定されている。この打ち抜き刃物１はその内部が刃部1aを有する先端からガイド溝11に対向した底面に亘って全面的に貫通した短筒形状に形成されてあり、従って、その内部はガイド溝11に連通している。なお、刃部1aの開口端の平面形状はダンボールシートＡに打ち抜くべき手掛孔Ｂの形状、例えば、小判形、丸形、角形等に応じた形状に形成されている。
【００１８】
このように打ち抜き刃物１を装着している刃物台２を備えた円環状ホルダ12、12をダイロール10の長さ方向に移動させる機構としては周知の機構、例えば、図１に示すように、両側の円環状ホルダ12、12の下周部側における両側端面に上端面がダイロール10の下周部の曲面に沿う湾曲端面に形成されている一組の移動部材16、16をそれぞれ係合させ、この移動部材16、16を螺子棒17、17の回転によってダイロール10の下周部に沿って該ダイロール10の長さ方向に移動させることにより、これらの移動部材16、16に挟持された状態で移動部材16、16と一体に移動させる機構を採用している。
【００１９】
具体的には、ダイロール10の下周部に近接してこのダイロール10の長さ方向に平行に左右一対の送り螺子棒17、17を配設し、これらの送り螺子棒17、17に左右の円環状ホルダ12、12の下周部を挟持している移動部材16、16の中央部に貫設している螺子孔を螺合させ、送り螺子棒17、17をモータ等の回転駆動機構（図示せず）によって正逆回転させることにより、円環状ホルダ12、12をダイロール10の所定位置にまで移動させるように構成している。
【００２０】
次に、上記のようにダンボールシートＡの所定部分に手掛孔Ｂを打ち抜くように構成しているダイロール10において、打ち抜き刃物１の開口端部内に残存する打抜き屑Ｃを打ち抜き刃物１から外部に除去する装置について説明する。この打抜き屑除去装置は、図１〜図３に示すように、打ち抜き刃物１内にこの打ち抜き刃物１の刃部1aの開口端から出没自在に配設された打抜き屑押し出し部材３と、この押し出し部材３を打抜き屑の押し出し方向に作動させる作動機構４とからなり、作動機構４は押し出し部材３を底部側から持ち上げるレバー５と、このレバー５を動作させる係合部材６とから構成している。
【００２１】
詳しくは、押し出し部材３は内外板片3a、3bを上下方向に一定間隔を存した状態にしてピン3c、3cにより一体に連結してなり、打ち抜き刃物１内に該打ち抜き刃物１の軸心方向に往復移動可能に配設されている。さらに、打ち抜き刃物１内における高さ方向の中央部にガイド部材７が固着されてあり、このガイド部材７に上記ピン3c、3cを摺動自在に挿通させて該ガイド部材７を介して上記内外板片3a、3bを打ち抜き刃物１の開口端側と底部側とにそれぞれ配設していると共に、ガイド部材７の下面（内面）と、内側板片3bとの対向面間にスプリング８を圧縮状態で介在させてこのスプリング８の力により押し出し部材３を内方（下方）に押し下げて常態においては押し出し部材３の外側板片3aを打ち抜き刃物１内に没入させた状態に維持している。
【００２２】
打ち抜き刃物１を有する刃物台２の底面側の上記ガイド溝11内には長さ方向の一端部に上記レバー５を回動自在に配設しているレバー配置台９がガイド溝11の長さ方向に移動可能に嵌合させている。このレバー配置台９は、幅がガイド溝11の溝幅に略等しく、長さが刃物台２を装着している円環状ホルダ12の幅（ダイロール10の長さ方向の幅）よりも長い角板材形状に形成されてあり、その長さ方向の少なくとも一端部を円環状ホルダ12の一端面側からガイド溝11の長さ方向に突出させていて、この突出一端部に上記レバー５を回動自在に枢着している。
【００２３】
具体的には、レバー配置台９の一半部の幅方向の中央部を図３に示すように一端面から一定幅でもって他端部近傍にまで切除してこの切除部9aを中央にしてその両側に一対のアーム片9b、9bを形成し、これらのアーム片9b、9b間の上記切除部9aにレバー５を配設してレバー配置台９の突出一端部における両側アーム片9b、9bに支軸9cによって回動自在に支持させると共にこのレバー５の基端部5aをレバー配置台９の一端面から一定長さだけ外部に突出させている一方、先端部5bを上記押し出し部材３の内側板片3bの外底面に当接させている。なお、このレバー５の基端部5aは僅かに外方（上方）に屈折させている。
【００２４】
また、このレバー配置台９には、上記刃物台２の四隅部に設けている上記ビス挿通孔18を通じてビス19を螺合させるための螺子孔20が設けられてあり、このビス19によって刃物台２をレバー配置台９に対して取り外し可能に連結させている。
【００２５】
上記レバー５を動作させるための係合部材６は、上記ダイロール10の下周部側に設けられていてダイロール10の周方向に長い一定厚みを有する板材からなり、円環状ホルダ12をダイロール10の長さ方向に移動させる上記移動部材16、16における一方の移動部材16からダイロール10の長さ方向に突設してあり、その突出位置はダイロール10の回転によるレバー５の基端部の移動軌跡上に位置している。そして、この係合部材６におけるダイロール10の外周面に対して間隔を存した状態で対向している内面は、ダイロール10の外周面から突出している上記レバー５の基端部5aの端面5a' を摺接させて該基端部5aを徐々に押し下げながら通過させるカム面6aに形成している。
【００２６】
即ち、このカム面6aは、ダイロール10の回転によってレバー５の基端部5aが係合部材６に達した時の入り口側の端部をダイロール10の外周面から最も大きく離間させてレバー５の基端部5aをカム面6aから僅かに間隔を存した状態で受け入れるように形成していると共に、出口側に向かって徐々にダイロール10の外周面間の間隔を狭くした円弧状面に形成して、レバー５の基端部5aの端面5a' を該カム面6aに摺接させながらこのカム面6aによって押し下げるように形成している。
【００２７】
次に、以上のように構成したダンボールシートの打抜き屑除去装置によって、図４に示すようなダンボールシートＡの所定部分に手掛孔Ｂ、Ｂを打抜き形成するには、まず、左右の送り螺子棒17、17を回転させて移動部材16、16をダイロール10の長さ方向に移動させることにより、ダイロール10上の左右の円環状ホルダ12、12を該移動部材16、16と一体的に移動させ、これらの円環状ホルダ12、12に装着している打ち抜き刃物１、１による手掛孔打ち抜き位置を設定する。
【００２８】
この際、円環状ホルダ12がダイロール10の長さ方向に移動すると、刃物台２とビス19によって一体に結合しているレバー配置台９がガイド溝11内をダイロール10の長さ方向に円環状ホルダ12と一体的に移動する一方、係合部材６は移動部材16に一体に取付けているので、この係合部材６とレバー５の基端部5aとの位置関係は変動することなく、係合部材６は常にレバー５の基端部5aのダイロール周方向の移動軌跡上に位置している。
【００２９】
こうして、ダンボールシートＡの長さや形状に応じて該ダンボールシートＡに打ち抜くべき手掛孔Ｂの打ち抜き位置を設定したのち、上下に配しているアンビルロール（図示せず）とダイロール10とを回転させ、これらのロール間にダンボールシートＡを供給すると、円環状ホルダ12、12がダイロール10と一体に回転してこれらの円環状ホルダ12、12に装着した刃物台２に取り付けている打ち抜き刃物１が上向きになった時に、ロール間を通過中のダンボールシートＡの所定部分に該ダンボールシートＡの下面から上面に達する手掛孔Ｂを打ち抜く。
【００３０】
この手掛孔Ｂの打ち抜きによって打ち抜き刃物１の開口端部内に打抜き屑Ｃが嵌まり込み、この状態でダイロール10の回転に従って打ち抜き刃物１がダンボールシートＡの下面から離間して下方に移動する。そして、この打ち抜き刃物１がダイロール10の回転によってその開口端を斜め下方に向けた状態となる位置まで移動した時に、図５に示すように、レバー５の基端部5aが係合部材６の内面側に入り込み、その端面5a' を係合部材６のカム面（内面）6aに摺接させながら該カム面6aによってダイロール10側に押し下げられ、該レバー５が支軸9c回りに回動してその先端部5bにより押し出し部材３をスプリング８の力に抗して押し上げてこの押し出し部材３の外側板片3aにより、打ち抜き刃物１内の上記打抜き屑Ｃが打ち抜き刃物１の開口端から外部に押し出される。押し出された打抜き屑Ｃは落下して円環状ホルダ12の下方に設置されている収容容器（図示せず）内に受け入れられる。
【００３１】
押し出し部材３による打ち抜き刃物１からの打抜き屑  の押し出し後、レバー５の基端部5aが係合部材６のカム面6aを通過すると、スプリング８の力によって押し出し部材３が打ち抜き刃物１内に没入すると共にレバー５の先端部5bがガイド溝11の底面に当接し、且つ基端部5aが元の位置まで持ち上げられた状態に復元し、この状態でダイロール10の回転により再び打ち抜き刃物１が上向きになった時に次のダンボールシートの所定位置に上記同様にして手掛孔Ｂを打ち抜くものである。
【００３２】
なお、手掛孔Ｂの打抜き後、打抜き屑Ｃが打ち抜き刃物１内から押し出される位置は、打ち抜き刃物１が垂直上方に向けて打ち抜きを開始した時点から、ダイロール10が１／３〜１／２回転した位置、即ち、打ち抜き刃物１の開口端が斜め下向きに向けた状態が垂直下方に向くまでの位置に設定して打ち抜き刃物１から押し出された打抜き屑Ｃを確実に落下させるように構成している。
【図面の簡単な説明】
【００３３】
【図１】装置全体の簡略斜視図である。
【図２】打抜き屑除去装置の縦断正面図である。
【図３】その簡略平面図である。
【図４】手掛孔を設けたダンボールシートの平面図である。
【図５】打抜き屑を除去している状態の縦断正面図である。
【図６】従来例を示す簡略斜視図である。
【符号の説明】
【００３４】
１  打ち抜き刃物
２  刃物台
３  押し出し部材
４  作動機構
５  レバー
６  係合部材
９  レバー配置台
10  ダイロール
11  ガイド溝
12  円環状ホルダ
16  移動部材
17  螺子棒
Ａ  ダンボールシート
Ｂ  手掛孔
Ｃ  打抜き屑
【図１】
2005169597.tif 000003
【図２】
2005169597.tif 000004
【図３】
2005169597.tif 000005
【図４】
2005169597.tif 000006
【図５】
2005169597.tif 000007
【図６】
2005169597.tif 000008